(57)【要約】【課題】、節電アドバイスの資料として有効に用い得る各電力消費者の電力ベース使用量を算出するシステム及び方法を提供する。【解決手段】各電力消費者について、季節変動によらずに１年を通じて最低限使用される電力である年間ベース使用量を算出するシステムであって、各電力消費者の１年間にわたる電力使用量の経時的な変化を示す電力使用量データが、該当する電力消費者の識別情報に関係付けて記録された電力使用量データベースと、各電力消費者の前記電力使用量データベースに記録された前記電力使用量データに基づいて、前記年間ベース使用量の算定の基礎となる週を選定するベース選定部と、前記選定した週における前記電力使用量データに基づいて、前記年間ベース使用量を算定するベース使用量算定部と、を備える。【選択図】図１
2007185007.tif 000002
【特許請求の範囲】
【請求項１】
各電力消費者について、季節変動によらずに１年を通じて最低限使用される電力である年間ベース使用量を算出するシステムであって、
各電力消費者の１年間にわたる電力使用量の経時的な変化を示す電力使用量データが、該当する電力消費者の識別情報に関係付けて記録された電力使用量データベースと、
各電力消費者の前記電力使用量データベースに記録された前記電力使用量データに基づいて、前記年間ベース使用量の算定の基礎となる週を選定する年間ベース選定部と、
前記選定した週における前記電力使用量データに基づいて、前記年間ベース使用量を算定するベース使用量算定部と、
を備えることを特徴とする電力ベース使用量算出システム。
【請求項２】
請求項１記載の電力ベース使用量算出システムにおいて、
前記年間ベース選定部は、各電力消費者について、前記電力使用量データベースに記録された前記電力使用量データに基づいて、土曜日と日曜日以外の休日を含む週を除外した上で、前記年間ベース使用量の算定の基礎となる週を選定することを特徴とする電力ベース使用量算出システム。
【請求項３】
請求項１又は２記載の電力ベース使用量算出システムにおいて、
前記ベース使用量算定部は、前記選定した週における前記電力使用量データに基づいて、曜日によらずに１週間を通じて最低限使用される電力である週間ベース使用量を算定する機能を有することを特徴とするシステム。
【請求項４】
請求項３記載の電力ベース使用量算出システムにおいて、
前記ベース使用量算定部は、前記年間ベース選定部により選定された週における単位時間当たりの最小の電力使用量に基づいて、前記週間ベース使用量を算出することを特徴とするシステム。
【請求項５】
請求項１〜４のうち何れかに記載の電力ベース使用量算出システムにおいて、
電力消費者の各戸に設置され、各戸での電力使用量を計測可能な電力計と通信回線を通じて接続され、
前記電力計から、各戸での電力使用量の計測値を受信する伝送情報受信部と、
前記受信した計測値に基づいて、各電力消費者の１年間にわたる電力使用量の経時的な変化を示す電力使用量データを判定し、このデータを該当する電力消費者の識別情報に関係付けて前記電力使用量データベースに記録する電力使用量判定部と、
を備えることを特徴とする電力ベース使用量算出システム。
【請求項６】
各電力消費者について、季節変動によらずに１年を通じて最低限使用される電力である年間ベース使用量を算出する方法であって、コンピュータが、
各電力消費者の１年間にわたる電力使用量の経時的な変化を示す電力使用量データを、該当する電力消費者の識別情報に関係付けて電力使用量データベースに記録するステップと、
各電力消費者の前記電力使用量データベースに記録された前記電力使用量データに基づいて、前記年間ベース使用量の算定の基礎となる週を選定するステップと、
前記選定した週における前記電力使用量データに基づいて、前記年間ベース使用量を算定するステップと、
を実行することを特徴とする電力ベース使用量算出方法。
【発明の詳細な説明】
【技術分野】
【０００１】
本発明は、節電アドバイスの資料として有効に用い得る各電力消費者の電力ベース使用量（季節変動などの変動要因によらず使用される電力量）を算出するシステム及び方法に関する。
【背景技術】
【０００２】
従来より、ビルや事業所など大口の電力消費者での電力消費削減のための様々な装置や方法が開発されてきた。例えば、特許文献１には、電力需要の小さい深夜時間帯の電力を用いて電力消費がピークとなる夏季の昼間時間帯の電力消費を削減する氷蓄熱空気調和装置が開示されている。
【０００３】
また、従来より、テレビやＯＡ機器などの待機電力の節約を行うことにより電気製品を使用していないときの節電の装置や方法も開発されてきた。例えば、特許文献２には、待機電力の節約を習慣的・効果的に行う待機電力節電スイッチが開示されている。
【特許文献１】特開２００２−３６４８８６号公報
【特許文献２】特開２００５−３２６９１号公報
【発明の開示】
【発明が解決しようとする課題】
【０００４】
ところで、ビルや事業所など大口の電力消費者での電力消費の削減への取り組みは、一般には、例えば特許文献１に開示された装置のように、夏季昼間時間帯等の電力消費のピークを抑えようとするものである。また、時間帯に関わらず一日を通じて消費される電力の削減への取り組みは、一般には、特許文献２に開示された装置にあるように、個別の電気機器の待機電力を節約しようとするものである。
【０００５】
これに対して、本願発明者は、電力消費量を削減するには、上記のように、ピーク電力を削減したり、電気機器の待機電力を個別に節約するよりも、ビル全体や事業所全体での季節変動によらずに一年を通じて使用される電力使用量（以下、「年間ベース使用量」という。）や、曜日や昼夜の時間帯によらず一日を通じて消費される電力使用量（以下、「週間ベース使用量」という。）を抑えることがより効果的であることに着目して本発明に至ったものであり、電力会社の顧客に対する節電アドバイスの資料として有効に用い得る各電力消費者の電力ベース使用量を算出するシステム及び方法を提供することを目的とする。
【課題を解決するための手段】
【０００６】
第一の発明は、各電力消費者について、季節変動によらずに１年を通じて最低限使用される電力である年間ベース使用量を算出するシステムであって、
各電力消費者の１年間にわたる電力使用量の経時的な変化を示す電力使用量データが、該当する電力消費者の識別情報に関係付けて記録された電力使用量データベースと、
各電力消費者の前記電力使用量データベースに記録された前記電力使用量データに基づいて、前記年間ベース使用量の算定の基礎となる週を選定する年間ベース選定部と、
前記選定した週における前記電力使用量データに基づいて、前記年間ベース使用量を算定するベース使用量算定部と、
を備えることを特徴とする電力ベース使用量算出システムである。  
本発明によれば、節電アドバイスの資料として用い得る季節変動分を除去した一週間単位での電力ベース使用量を算出することが可能となる。
【０００７】
第二の発明は、第一の発明に記載の電力ベース使用量算出システムにおいて、
前記年間ベース選定部は、各電力消費者について、前記電力使用量データベースに記録された前記電力使用量データに基づいて、土曜日と日曜日以外の休日を含む週を除外した上で、前記年間ベース使用量の算定の基礎となる週を選定することを特徴とする電力ベース使用量算出システムである。  
本発明によれば、季節変動分に加えて祝日による変動分も除去した一週間単位での電力ベース使用量を算出することが可能となる。
【０００８】
第三の発明は、第一の発明に記載の電力ベース使用量算出システムにおいて、
前記ベース使用量算定部は、前記選定した週における前記電力使用量データに基づいて、曜日によらずに１週間を通じて最低限使用される電力である週間ベース使用量を算定する機能を有することを特徴とするシステムである。  
本発明によれば、季節変動分に加えて日変動分を除去した一週間単位での電力ベース使用量を算出することが可能となる。
【０００９】
第四の発明は、第一の発明に記載の電力ベース使用量算出システムにおいて、
前記ベース使用量算定部は、前記年間ベース選定部により選定された週における単位時間当たりの最小の電力使用量に基づいて、前記週間ベース使用量を算出することを特徴とするシステムである。  
本発明によれば、季節変動分に加えて、厳しく見積もった日変動分を除去した一週間単位での電力ベース使用量を算出することが可能となる。
【００１０】
第五の発明は、第一の発明から第四の発明のうち何れかに記載の電力ベース使用量算出システムにおいて、
電力消費者の各戸に設置され、各戸での電力使用量を計測可能な電力計と通信回線を通じて接続され、
前記電力計から、各戸での電力使用量の計測値を受信する伝送情報受信部と、
前記受信した計測値に基づいて、各電力消費者の１年間にわたる電力使用量の経時的な変化を示す電力使用量データを判定し、このデータを該当する電力消費者の識別情報に関係付けて前記電力使用量データベースに記録する電力使用量判定部と、
を備えることを特徴とする電力ベース使用量算出システムである。  
本発明によれば、電力ベース使用量を算出するにあたって必要となる電力使用量データを自動的に収集することが可能となる。
【発明の効果】
【００１１】
本発明によれば、節電アドバイスの資料として有効に用い得る各電力消費者の電力ベース使用量を算出することが可能となる。
【発明を実施するための最良の形態】
【００１２】
図１は、本発明の一実施形態である電力ベース使用量算出システム１の全体構成図である。同図に示すように、本実施形態の電力ベース使用量算出システム１は、伝送情報受信部１０、電力使用量判定部２０、ベース選定部４０、ベース使用量算定部４５、出力部５０の各機能部と、電力使用量データベース３０及びベース使用量データベース３５の各データベースを備えている。後述するように、電力使用量データベース３０には各電力消費者の所定時間毎（例えば、１時間毎）の電力使用量が各電力消費者の識別情報（例えば顧客番号）に関係付けて記録され、ベース使用量データベース３５には季節変動によらずに一年間を通じて消費される電力使用量（すなわち年間ベース使用量）及び曜日や昼夜の時間帯によらず一週間を通じて消費される電力使用量（すなわち週間ベース使用量）が各電力消費者の識別情報に関係付けて記録される。
【００１３】
また、電力ベース使用量算出システム１は、出力部５０を備えており、電力ベース使用量算出システム１に接続される出力装置６０から各データベースに記録された内容を閲覧することができる。
【００１４】
伝送情報受信部１０は、各電力計７１から、検針された各戸の電力使用量に係る情報（以下、電力使用量情報という）を通信回線を介して受信する。電力使用量判定部２０は、伝送情報受信部１０が受信した電力使用量情報に基づいて、各電力消費者の単位期間（例えば１時間毎）の電力使用量を判定し、その電力使用量を該当する電力消費者の識別情報に関係付けて電力使用量データベース３０に記録する。
【００１５】
ベース選定部４０及びベース使用量算定部４５は、電力使用量データベース３０に記録されたデータに基づいて、年間ベース使用量の算定の基礎となる週を選定し、この選定した週における電力使用量データに基づいて、年間ベース使用量と週間ベース使用量とを算定する計算処理を行う。
【００１６】
すなわち、図２に示したフローチャートに従って説明すると、ベース選定部４０は、電力使用量データベース３０に記録されている電力使用量データを所定期間分（例えば、１年間）のデータを読み出し（Ｓ２０２）、そのデータを一週間単位で区切る（Ｓ２０４）。次に、この週単位の使用電力データに基づいて、祝日、８月中旬の盆、年末年始など土日以外に休日を含む週を除いた中で、一週間の電力使用量の合計が最小となる週を選定する（Ｓ２０６，Ｓ２０８）。このように、土日以外の休日を含む週を除外することで、祝日等の特殊要因を除去した上で適切に電力ベース使用量算定の基礎となる週を選定することができる。
【００１７】
ベース使用量算定部４５は、選定した週の電力使用量データを１年分（つまり５２週分）繰返したデータを年間ベース使用量を示すデータとして、当該電力消費者に関係付けてベース使用量データベース３５に記録する（Ｓ２１０）。
【００１８】
図４は、ある電力消費者についての電力使用量、年間ベース使用量、及び、使用電力量のうちの季節変動分の１年間の変化の一例を示すグラフである。なお、図４では、電力使用量を一日単位で集計した毎日の電力使用量を示している。同図において、符号Ａで指し示した週が、一週間の電力使用量の合計が最小となる週である。この週は、５月の暑くもなく寒くもない季節で冷暖房への電力の使用がほとんどなく、したがって、冷暖房等の季節変動による電力消費の増加要因をほとんど含まない週であるので、この週の電力使用量が季節変動によらずに一年を通じて最低限必要な電力の使用量であると考えられる。そこで、この週の電力使用電力量を５２回繰返したものを、年間ベース使用量として算定する。このとき、祝日、８月中旬の盆、年末年始など土日以外の休日に対しては，符号Ａで指し示した週の休日に相当する電力使用量を割り振って，年間ベース使用量としてもよい。そして、実際の電力使用量から年間ベース使用量を差し引くことにより、使用電力量のうちの季節変動分を算出することができる。
【００１９】
さらに、ベース使用量算定部４５は、前記選定した週の平日のうち、深夜から未明にかけての時間帯等電力使用量が必要最小限となる電力使用量を算出する。これを図３に示したフローチャートに従って説明すると、前記選定した週の電力使用量に係るデータを電力使用量データベース３０から読み出し（Ｓ３０２）、平日で電力使用量が必要最低限となる時間帯を選定する（Ｓ３０４）。この必要最低限となる時間帯とは、例えば、図５のイ、ロ、ハ、ニに指し示したように、平日の深夜から未明にかけての電力使用量が必要最小限となる時間帯であって、例えば会社の場合であれば、従業員が退社して、警備等の２４時間行われるサービス以外の業務が行われていない時間帯である。そこで、このように電力使用量が最小限となる時間帯の電力使用量の平均値を必要最小限使用量として算出する（Ｓ３０６）。図５に、この必要最小限使用量を符号ａで示している。そして、週間ベース使用量を、
週間ベース使用量＝必要最小限使用量÷前記時間帯の時間×２４時間×７日間
の計算式により算出して、ベース使用量データベース３５に記録する（Ｓ３０８）。
【００２０】
なお、ここで必要最小限使用量としては、上記した電力使用量が必要最小限となる時間帯の電力使用量の平均値の代わりに、当該時間帯における電力使用量の最小値を用いてもよい。この場合の前記必要最小限使用量を図５に符号ｂで示す。
【００２１】
出力部５０は、電力使用量データベース３０とベース使用量データベース３５とにある情報を利用する際に、各データベースにアクセスして必要な情報を入手して、出力装置６０に伝送する。
【００２２】
出力装置６０で出力された情報は、各電力消費者の電力消費の内容分析に用いたり、さらにその分析内容を各電力消費者７０への節電のアドバイスの際の資料として用いる等の活用が考えられる。出力装置６０から各電力消費者７０への点線は、電力供給者等から電力消費者への節電アドバイス等の提供を示す。この提供は、電気通信回線を経由する方法でもよいが、基本的には対人サービスによってなされることが多いので、電気通信回線を利用した他の情報のやり取りと区別するため、図１では点線で示した。
【００２３】
ところで、前記節電アドバイスとは、例えば、電力会社が、契約している各電力消費者の電力使用量を分析し、各電力消費者に対して節電余地を提示するなどのコンサルティング・サービスである。これまでの節電の取り組みでは、電力使用量がピークとなる時間帯の電力使用量を抑えて、その削減分の電力使用量を電力使用量が少ない時間帯に振り替えるようなものがある。これはピーク時間帯の電力使用量を削減することはでき、電力供給者の発電設備投資を抑えることができる等の一定の効果は期待できるものの、電力使用量の総量を削減しようとするものではない。
【００２４】
これに対して、本発明によって得られる年間ベース電力需要及び日間ベース使用量を用いてする節電アドバイスは、季節によって変動せず、あるいは、時間帯によって変動しないベース使用量に着目している。つまり、ベース使用量は、ビルや事業所等で一日を通じて使われる電気、例えば、電器機器の待機電力や冷凍・冷蔵庫、非常口の照明等により使用される電力であり、同地域同規模同業種のビルや事業所等のベース使用量を比較分析することで、各電力消費者の無駄な電力消費の有無を診断することができる。
【００２５】
例えば、図６は、同業種の多数のビルについて、縦軸にベース使用量を、横軸に延床面積を取って、ベース使用量と延床面積との関係に係る分布を示したグラフである。電力のベース使用量は、基本的には延床面積に比例するものと考えられる。実際、図６のグラフでは、ベース使用量と延床面積とがほぼ比例する領域Ｘに多くのビルが分布している。しかし、一部には同図中に符号Ｙで示すように、前記領域Ｘからベース使用量が大きい側へ大きく外れたものもある。これら符号Ｙのデータに該当するビルは、電力を大量に消費する特殊な機材を使用する等特殊要因がなければ、不必要に大きな電力が使用されている可能性があると判断することができる。
【００２６】
このように電力会社は、各電力消費者の電力使用を伴う機器の設置状況等個別の情報の提供を受けられれば、ベース使用量の分析結果と併せることで、この電力ベース使用量の削減のアドバイスをすることができる。これにより、各電力消費者は、１日２４時間分、１年間３６５日を通じて無駄乃至は不要不急となっていた電力消費を削減することができるので、週間及び年間での電力使用量の削減への貢献が期待できる。
【００２７】
また、従来から、個別の電気機器について待機電力の節約を行うことは行われてきた。これに対して、本発明によって得られる電力ベース使用量では、ビル全体又は事業所全体のベース電力需要を把握できるので、マクロ的な視点により各電力消費者の電力消費全体について分析することが可能となる。この電力ベース使用量のデータ活用により、これまでの個別の電気機器での節電といったミクロ的な視点では把握できなかった無駄な電力消費の有無を診断することができる。
【００２８】
以上の通り、本発明によって算出されるベース使用量は、これまであまり注目されてこなかったビル全体又は事業所全体でのベース使用量の削減への取り組みに道筋をつけるものである。
【００２９】
なお、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００３０】
【図１】本発明の一実施形態である電力ベース使用量算出システムの全体構成図である。
【図２】ベース選定部の年間ベース使用量に係るデータ処理を示すフローチャートである。
【図３】ベース選定部の週間ベース使用量に係るデータ処理を示すフローチャートである。
【図４】年間ベース使用量等を示すグラフである。
【図５】週間ベース使用量等を示すグラフである。
【図６】ベース使用量と延床面積との関係に係る分布を示したグラフである。
【符号の説明】
【００３１】
１  電力ベース使用量算出システム
１０  伝送情報受信部
２０  電力使用量判定部
３０  電力使用量データベース
３５  ベース使用量データベース
４０  ベース選定部
４５  ベース使用量算定部
５０  出力部
６０  出力装置
７０  電力消費者
７１  電力計
【図１】
2007185007.tif 000003
【図２】
2007185007.tif 000004
【図３】
2007185007.tif 000005
【図４】
2007185007.tif 000006
【図５】
2007185007.tif 000007
【図６】
2007185007.tif 000008